(57)【要約】      （修正有）【課題】ユーザの嗜好に合わせたユーザ設定時刻と正確な時刻とが適宜に表示することができる、時刻情報を表示する機能を有する装置を提供する。【解決手段】処理装置１０２を備え、処理装置１０２は、入力された又は予め入力された第１の時刻設定情報に基づく時刻を計測して表示し、所定の装置１１２が接続されたことに応じて、所定の装置１１２から第２の時刻設定情報を取得し、第１の時刻設定情報に基づく時刻に代えて、第２の時刻設定情報に基づく時刻を計測して表示し、第２の時刻設定情報に基づく時刻の表示を開始した後は、所定の装置１１２との接続が切れた後も、自装置の電源がオフされるまで第２の時刻設定情報に基づく時刻を継続して表示する、よう構成されている。【選択図】図１
2017032528.tif 000002
【特許請求の範囲】
【請求項１】
時刻情報を表示する機能を有する時刻表示装置であって、
処理装置を備え、
前記処理装置は、
入力された又は予め入力された第１の時刻設定情報に基づく時刻を計測して表示し、
所定の装置が接続されたことに応じて、当該所定の装置から第２の時刻設定情報を取得し、前記第１の時刻設定情報に基づく時刻に代えて、前記第２の時刻設定情報に基づく時刻を計測して表示し、
前記第２の時刻設定情報に基づく時刻の表示を開始した後は、前記所定の装置との接続が切れた後も、自装置の電源がオフされるまで前記第２の時刻設定情報に基づく時刻を継続して表示する、
よう構成されている、
時刻表示装置
【請求項２】
前記処理装置は、さらに、
自装置の電源がオフされた後も前記第１の時刻設定情報に基づく時刻の計測を継続し、
自装置の電源がオンされたときに、前記第１の時刻設定情報に基づく時刻を表示する、
よう構成されている、
請求項１に記載の時刻表示装置。
【請求項３】
前記時刻表示装置は、表示装置を備える車載のオーディオ装置又はナビゲーション装置である、
請求項１又は２に記載の時刻表示装置。
【請求項４】
請求項１ないし３のいずれか一項に記載の時刻表示装置を備える車両。
【発明の詳細な説明】
【技術分野】
【０００１】
本発明は、時刻情報を表示する機能を有する装置（時刻表示装置）に関し、特に、自装置に接続された外部機器からの時刻情報に基づいて時刻同期を行う時刻表示装置に関する。
【背景技術】
【０００２】
時刻情報を表示する機能を有する装置（時刻表示装置）では、一般に、当該装置に表示される時刻（表示時刻）が、当該装置の現在位置における標準時刻（標準時）と正確に一致していることが望ましい。このため、当該装置が内蔵するタイマの時間計測機能における誤差により表示時刻にずれが生じた場合や、時刻表示装置が車両と共に移動してタイムゾーン境界を超えたこと等に起因して時刻情報が標準時刻に対してずれた場合には、表示時刻が自動的に補正されることが望ましい。
【０００３】
しかしながら、一方で、標準時刻からずれた時刻に基づいて行動することで時間的な余裕を確保すべく、時刻表示装置の表示時刻を故意にずらして設定したいというユーザも存在する。このような時刻表示に関するユーザの嗜好は様々であり、時刻表示が正確であることが必ずしもユーザの利便性を保証するものではない。
【０００４】
従来、車両に搭載された時計装置の時刻情報を標準時刻に更新（又は補正）する技術として、車載の時計装置の時刻情報を、車両内に持ち込まれた携帯電話機により更新する構成が知られている（特許文献１）。この構成では、携帯電話機は、所定の時間間隔で基地局から標準時刻情報を取得すると共に、車両内に持ち込まれたときには、短距離通信により通信相手を探索し、当該探索により車載の時計装置と通信を確立し、時計装置からの要求を受信すると、上記取得した標準時刻情報を当該時計装置へ送信する。
【０００５】
しかしながら、上記従来の構成では、車載の時計装置にユーザが意図的に不正確な時刻を設定していたとしても、そのようなユーザ設定時刻は標準時刻への更新によって書き換えられてしまうため、上述のような時刻表示に関するユーザ嗜好には対応することができない。
【０００６】
このようなユーザ嗜好に対応する方法として、例えば、ユーザ設定時刻を時計装置内部で保持しておき、時計装置に携帯電話機が接続されている間は当該携帯電話から得た標準時刻を時計装置に表示し、携帯電話との接続が切れた後は、再度、ユーザ設定時刻を時計装置に表示することが考えられる。
【０００７】
しかしながら、上記の方法では、携帯電話と時計装置との接続／切断が行われるたびに異なる基準（ユーザ設定又は標準時）に基づいて異なる時刻が表示されることとなることから、ユーザは時刻に関する認識誤りを生じやすくなる。例えば、上記のように基準が変化する時刻に基づいてナビゲーションが行われる場合には、経路案内画面に表示される目的地への到着予想時刻も変化することとなり、ユーザを混乱させることとなる。また、例えば、携帯電話による標準時刻との同期が行われた状態において車両が走行し、例えば数時間の標準時刻差を生ずるようなタイムゾーンの境界を超えて走行したという場合、携帯電話による時刻同期によって現在時刻が数時間分変化した後で当該携帯電話の接続が切断されてユーザ設定時刻の表示が再開されると、表示される時刻は大きく変化することとなる。この場合、時刻の変化が大きいことから誤解を生じ難いということがあるとしても、正しい時刻を得るために何度も携帯電話をつなぎ直さなければならないという事態も生じ得て、ユーザに煩わしい思いをさせることともなり得る。
【先行技術文献】
【特許文献】
【０００８】
【特許文献１】特開２００２−３００６４０号公報
【発明の概要】
【発明が解決しようとする課題】
【０００９】
上記の背景より、時刻情報を表示する機能を有する装置において、ユーザの嗜好に合わせたユーザ設定時刻と正確な時刻とが適宜に表示されることが望まれている。
【課題を解決するための手段】
【００１０】
本発明の一の態様は、時刻情報を表示する機能を有する時刻表示装置であって、処理装置を備え、前記処理装置は、入力された又は予め入力された第１の時刻設定情報に基づく時刻を計測して表示し、所定の装置が接続されたことに応じて、当該所定の装置から第２の時刻設定情報を取得し、前記第１の時刻設定情報に基づく時刻に代えて、前記第２の時刻設定情報に基づく時刻を計測して表示し、前記第２の時刻設定情報に基づく時刻の表示を開始した後は、前記所定の装置との接続が切れた後も、自装置の電源がオフされるまで前記第２の時刻設定情報に基づく時刻を継続して表示する、よう構成されている。
本発明の他の態様によると、前記処理装置は、さらに、自装置の電源がオフされた後も前記第１の時刻設定情報に基づく時刻の計測を継続し、自装置の電源がオンされたときに、前記第１の時刻設定情報に基づく時刻を表示する、よう構成されている。
本発明の他の態様は、表示装置を備える車載のオーディオ装置又はナビゲーション装置である時刻表示装置である。
本発明の更に他の態様は、上記のいずれかの時刻表示装置を備える車両である。
【図面の簡単な説明】
【００１１】
【図１】本発明の一実施形態に係る時刻表示装置の構成を示す図である。
【図２】図１に示す時刻表示装置における処理の手順を示すフロー図である。
【図３】図１に示す時刻表示装置が表示する時刻情報の変化の一例を説明する図である。
【図４】図１に示す時刻表示装置における、時刻同期の識別表示の一例を示す図である。
【図５】図１に示す時刻表示装置における、メッセージ表示の一例を示す図である。
【発明を実施するための形態】
【００１２】
以下、図面を参照して、本発明の実施の形態を説明する。
図１は、本発明の一実施形態に係る時刻表示装置の構成を示すブロック図である。
【００１３】
本時刻表示装置１００は、例えば、車両に搭載され、表示装置を備えてラジオ放送受信や音楽再生等のオーディオ機能を提供する、いわゆるディスプレイ・オーディオ（DA、Display Audio）であるものとすることができる。ただし、時刻表示装置１００は、これに限るものではなく、例えば車載のナビゲーション装置であるものとすることもできる。
【００１４】
時刻表示装置１００は、処理装置１０２と、ディスプレイ１０６と、通信インタフェース（通信ＩＮＦ）１０８と、入出力インタフェース（入出力ＩＮＦ）１１０と、を有している。
【００１５】
通信ＩＮＦ１０８は、処理装置１０２が外部機器１１２から時刻情報を取得するための通信インタフェースであり、例えばＵＳＢ（Universal Serial Bus）等の通信規格に準拠したインタフェースとすることができる。なお、本実施形態では、時刻表示装置１００と外部機器１１２とが有線伝送路を介して接続されるものとするが、これに限らず、時刻表示装置１００と外部機器１１２とがＷｉＦｉ等の無線通信を用いて接続されるものとすることもできる。
【００１６】
外部機器１１２は、例えば、スマートフォン等の多機能携帯電話やポータブルＰＣ等の携帯情報端末機器である。外部機器１１２は、携帯電話用の無線基地局１１４やＧＰＳ衛星１１６から無線送信される当該外部機器１１２の現在位置における標準時刻（標準時）に関する情報を受信することで、現在の標準時刻を取得する。また、外部機器１１２は、ユーザの必要に応じて、当該ユーザにより時刻表示装置１００に接続される。
【００１７】
ディスプレイ１０６は、例えば、液晶表示デバイスと当該液晶表示デバイスのスクリーン上に設けられたタッチパネル（タッチスクリーン）とで構成される、入力デバイスとして機能をも備えた表示装置である。
【００１８】
入出力ＩＮＦ１１０は、処理装置１０２と、ディスプレイ１０６を含む他の外部装置と、の間のデータや信号の入出力を行うインタフェース装置である。本実施形態では、入出力ＩＮＦ１１０は、特に、処理装置１０２から出力される時刻情報をディスプレイ１０６に表示すると共に、ディスプレイ１０６のタッチスクリーンから入力された情報を処理装置１０２に入力する。
【００１９】
処理装置１０２は、ＣＰＵ（Central Processing Unit）等のプロセッサ、プログラムが書き込まれたＲＯＭ（Read Only Memory）、データの一時記憶のためのＲＡＭ（Random Access Memory）等を有するコンピュータであり、第１時刻情報取得ユニット１２０と、第１時刻計測ユニット１２２と、第２時刻情報取得ユニット１２４と、第２時刻計測ユニット１２６と、時刻表示出力ユニット１２８と、を有する。処理装置１０２が備える上記各ユニットは、コンピュータである処理装置１０２がプログラムを実行することにより実現され、当該コンピュータ・プログラムは、コンピュータ読み取り可能な任意の記憶媒体に記憶させておくことができる。これに代えて、上記各ユニットの全部又は一部を、それぞれ一つ以上の電子回路部品を含むハードウェアにより構成することもできる。
【００２０】
第１時刻情報取得ユニット１２０は、ディスプレイ１０６のタッチスクリーンから入力される、時刻に関するユーザ設定の情報を取得する。この時刻設定情報は、例えば、現在時刻についてのユーザからの設定情報であるものとすることができる。より具体的には、例えば、ユーザが上記タッチスクリーンを介して時、分、秒のデータを入力し、さらに当該データを有効化する指示を入力する（例えば特定のボタンを押下する）と、第１時刻情報取得ユニット１２０は、入出力ＩＮＦ１１０を介して、当該入力されたデータが示す時刻を当該指示が与えられた瞬間の現在時刻として取得する。
【００２１】
第１時刻計測ユニット１２２は、第１時刻情報取得ユニット１２０が取得したユーザ設定に基づいて、処理装置１０２が備えるタイマ（不図示）により時刻計測を行い、当該計測により算出される現在時刻を、ユーザ設定に基づく時刻として時刻表示出力ユニット１２８へ出力する。なお、ユーザ設定に基づく上記時刻の計測は、時刻表示装置１００の電源がオフされた後も、例えば内蔵電池（不図示）等を用いて継続されるものとする。
【００２２】
第２時刻情報取得ユニット１２４は、通信ＩＮＦ１０８を監視して外部機器１１２が接続されたか否かを検知し、外部機器１１２が接続されたときは、その旨を時刻表示出力ユニット１２８へ出力すると共に、外部機器１１２が有する時刻に関する情報（例えば、外部機器１１２が無線基地局１１４等から取得した標準時刻に関する情報）を、通信ＩＮＦ１０８を介して取得する。また、第２時刻情報取得ユニット１２４は、通信ＩＮＦ１０８を監視して、外部機器１１２の接続が切断されたか否かを検知し、切断されたときは、その旨を時刻表示出力ユニット１２８へ通知する。
【００２３】
第２時刻計測ユニット１２６は、第２時刻情報取得ユニット１２４が取得した、外部機器１１２が有する時刻に関する情報に基づいて、処理装置１０２が備えるタイマ（不図示）により時刻計測を行い、当該計測により算出される現在時刻を、外部機器１１２と同期した時刻として時刻表示出力ユニット１２８へ出力する。また、第２時刻計測ユニット１２６は、第２時刻情報取得ユニット１２４が、外部機器１１２から当該外部機器１１２が有する時刻に関する情報を取得するたびに、当該取得された情報に基づいて（すなわち、第２時刻情報取得ユニット１２４により取得された最新の、外部機器１１２が有する時刻に関する情報に基づいて）、時刻の計測を新たに実行する。そして、当該計測により算出される現在時刻を、外部機器１１２と同期した時刻として時刻表示出力ユニット１２８へ出力する。
【００２４】
さらに、第２時刻計測ユニット１２６は、外部機器１１２との接続が切断された等の理由により第２時刻情報取得ユニット１２４が外部機器１１２が有する時刻に関する情報を取得しなくなったときは、第２時刻情報取得ユニット１２４が最後に取得した当該時刻に関する情報に基づく時刻の計測を継続し、当該計測により算出される現在時刻を、外部機器１１２と同期した時刻として時刻表示出力ユニット１２８へ出力する。
【００２５】
時刻表示出力ユニット１２８は、時刻表示装置１００の電源が投入された後は、第１時刻計測ユニット１２２が計測した現在時刻（すなわち、ユーザ設定に基づく時刻）を受信して、入出力ＩＮＦ１１０を介してディスプレイ１０６に表示する。上述したように、第１時刻計測ユニット１２２は、時刻表示装置１００の電源がオフされた後もユーザ設定時刻に基づく時刻の計測を継続しているので、時刻表示装置１００の電源投入時には、第１時刻情報取得ユニット１２０が最後に取得したユーザ設定に基づいて計測された、ユーザ設定に基づく時刻が表示されることとなる。
【００２６】
その後、時刻表示装置１００に外部機器１１２が接続されると、時刻表示出力ユニット１２８は、第２時刻情報取得ユニット１２４から外部機器１１２が接続された旨の通知を受けたことに応じて、第２時刻計測ユニット１２６が計測した現在時刻（すなわち、外部機器１１２との同期に基づく時刻）を受信し、上記ユーザ設定に基づく時刻の表示に代えて、当該受信した外部機器１１２との同期に基づく時刻を、入出力ＩＮＦ１１０を介してディスプレイ１０６に表示する。
【００２７】
さらに、時刻表示出力ユニット１２８は、上記のように外部機器１１２との同期に基づく時刻をディスプレイ１０６に表示した後は、その後、第２時刻情報取得ユニット１２４から外部機器１１２の接続が切断された旨の通知を受けた後も、第２時刻計測ユニット１２６から外部機器１１２との同期に基づく時刻を受信して、ディスプレイ１０６への当該時刻の表示を継続する。そして、時刻表示出力ユニット１２８は、時刻表示装置１００の電源がオフされるまで、当該外部機器１１２との同期に基づく時刻の表示を継続する。
【００２８】
上記の構成を有する時刻表示装置１００は、自装置の電源投入後、外部機器１１２が接続されていない間はユーザ設定に基づく時刻をディスプレイ１０６に表示し、外部機器１１２が接続されると、当該外部機器１１２が有する時刻と同期した時刻をディスプレイ１０６に表示する。
【００２９】
特に、本実施形態に係る時刻表示装置１００は、上記のように外部機器１１２が有する時刻と同期した時刻の表示を開始した後は、その後に時刻表示装置１００と外部機器１１２との接続が切断されても、外部機器１１２との同期に基づく時刻をディスプレイ１０６に表示し続ける。
【００３０】
これにより、ユーザは、自身の嗜好にあったユーザ設定に基づく時刻を時刻表示装置１００に表示させて運転を開始することもできるし、例えばタイムゾーンを超えるような走行を行う場合には、外部機器１１２を接続して正しい時刻を表示させて運転を継続することもできる。また、本時刻表示装置１００では、特に、外部機器１１２を接続して時刻同期を行った後に外部機器１１２の接続を切断しても、時刻表示装置１００の電源がオフされるまでは当該外部機器１１２と最後に同期したときの時刻に基づく時刻表示が継続されることから、例えば車両のイグニションスイッチをオンにしてからオフにするまでの１回の運転サイクルにおいては、外部機器１１２と同期された時刻表示が継続されることとなるので、運転サイクル途中における時刻表示の度重なる変動が防止され、ユーザに与える時刻認識の混乱を軽減することができる。
【００３１】
さらに、本時刻表示装置１００では、自装置の電源がオフされた後に再度オンされた場合にはユーザ設定に基づく時刻が表示されるため、新たな運転サイクルを開始する際には、その前の運転サイクルにおける時刻の同期の有無にかかわらず、必ずユーザ設定に基づく時刻が表示されることとなり、ユーザの時刻認識の混乱は防止（又はリセット）される。例えば、自宅のあるタイムゾーンにおいてユーザ設定が行われている場合には、１回の運転サイクルにおいてタイムゾーン境界を跨いだ走行が行われ、且つ外部機器１１２と同期した時刻が表示されたとしても、再度、自宅において新たな運転サイクルを開始する場合には、自宅のあるタイムゾーンにおいて設定しておいた上記ユーザ設定に基づく時刻が必ず表示されることとなるので、ユーザは前回の運転サイクルにおけるタイムゾーン境界での時刻同期の影響を受けることなく、新たな運転サイクルを開始することができる。
【００３２】
次に、時刻表示装置１００の処理装置１０２における処理の手順について、図２に示すフロー図にしたがって説明する。なお、以下に示す説明においては、時刻表示装置１００の第１時刻情報取得ユニット１２０は、既に、ユーザがディスプレイ１０６のタッチスクリーンから入力した時刻設定情報（すなわち、ユーザ設定時刻）を取得しており、第１時刻計測ユニット１２２は、上記取得したユーザ設定時刻に基づいて現在時刻の計測を行っているものとする。また、上記現在時刻の計測は、上述したように内蔵電池等により自装置の電源がオフされている間も継続して行われているものとする。
【００３３】
まず、車両のイグニションスイッチがオンされる等することにより時刻表示装置１００の電源がオンされると、時刻表示出力ユニット１２８は、第１時刻計測ユニット１２２からユーザ設定に基づく時刻を受信して、当該受信した時刻を、入出力ＩＮＦ１１０を介してディスプレイ１０６に表示し（Ｓ１００）、第２時刻情報取得ユニット１２４は、通信ＩＮＦ１０８により、外部機器１１２が時刻表示装置１００に接続されたか否かを判断する（Ｓ１０２）。そして、外部機器１１２が接続されていないときは（Ｓ１０２、Ｎｏ）、ステップＳ１００に戻って処理を繰り返す。これにより、外部機器１１２が接続されていない間は、第１時刻計測ユニット１２２が時間経過に沿って計測するユーザ設定に基づく時刻がディスプレイ１０６に表示される。
【００３４】
一方、ステップＳ１０２において外部機器１１２が接続されたときは（Ｓ１０２、Ｙｅｓ）、第２時刻情報取得ユニット１２４は、外部機器１１２が有する時刻に関する情報を、通信ＩＮＦ１０８を介して外部機器１１２から取得する（Ｓ１０４）。第２時刻計測ユニット１２６は、外部機器１１２から取得された当該時刻に関する情報に基づいて時刻計測を行い、当該計測により算出した現在時刻を、外部機器１１２と同期した時刻として時刻表示出力ユニット１２８へ出力し、時刻表示出力ユニット１２８は、第２時刻計測ユニット１２６が出力した外部機器１１２と同期した時刻を、ディスプレイ１０６に表示する（Ｓ１０６）。すなわち、ステップＳ１００においてディスプレイ１０６に表示されたユーザ設定に基づく時刻は、上記外部機器１１２に同期した時刻に書き換えられ、当該外部機器１１２に同期した時刻がディスプレイ１０６上に表示される。
【００３５】
なお、ディスプレイ１０６上への外部機器１１２との同期に基づく時刻の表示の開始は、第２時刻情報取得ユニット１２４から外部機器１１２が接続された旨の通知を時刻表示出力ユニット１２８が受信したことに応じて行うものとすることもできるし、第２時刻計測ユニット１２６から外部機器１１２との同期に基づく時刻の出力が開始されたことに応じて行うものとすることもできる。
【００３６】
次に、第２時刻情報取得ユニット１２４は、外部機器１１２と時刻表示装置１００との接続が切断されたか否かを判断する（Ｓ１０８）。そして、切断されていないときは（Ｓ１０８、Ｎｏ）、ステップＳ１０４に戻って処理が繰り返される。これにより、外部機器１１２が時刻表示装置１００に接続されている間は、外部機器１１２からの時刻に関する情報の取得と、当該取得された情報に基づく外部機器１１２と同期した時刻の表示とが繰り返し実行される。
【００３７】
一方、ステップＳ１０８において外部機器１１２との接続が切断されたときは（Ｓ１０８、Ｙｅｓ）、最後に実行したステップＳ１０４において外部機器１１２から取得した時刻に関する情報に基づいて、ディスプレイ１０６への外部機器１１２と同期した時刻の表示を継続する（Ｓ１１０）。すなわち、第２時刻情報取得ユニット１２４は、最後に実行したステップＳ１０４において外部機器１１２から取得した時刻に関する情報に基づいて時刻計測を行い、当該計測により算出した現在時刻を、外部機器１１２と同期した時刻として時刻表示出力ユニット１２８へ出力し、時刻表示出力ユニット１２８は、第２時刻計測ユニット１２６が出力した外部機器１１２と同期した時刻を、ディスプレイ１０６に表示する（Ｓ１１０）。そして、ステップＳ１１０の処理を繰り返すことで、外部機器１１２と同期した時刻の表示を継続する。なお、この処理フローは、時刻表示装置１００の電源がオフされたときに終了する。
【００３８】
次に、外部機器１１２と時刻表示装置１００のディスプレイ１０６とにおける時刻表示の推移の例を、図３を用いて説明する。図３（ａ）〜（ｇ）は、それぞれ異なる時刻における、時刻表示装置１００のディスプレイ１０６の表示画面（図示右側）と、当該車両内に持ち込まれた外部機器１１２の表示画面（図示左側）と、を示している。時間は、図３（ａ）から図３（ｇ）に向かって流れているものとする。また、図３には、図示左側の外部機器１１２と図示右側の時刻表示装置１００との間に、それらの間の接続の状態が、「非接続」、「接続」、「接続維持」、「切断」の文字で示されている。さらに、図示右側の時刻表示装置１００の図示下部に示された「電源オン」、「電源オフ」との記載は、図示の時点において時刻表示装置１００の電源がオンまたはオフされたことを示している。
【００３９】
まず、図３（ａ）において時刻表示装置１００の電源がオンされる。このとき、外部機器１１２と時刻表示装置１００との間は、例えば「非接続」状態であり、外部機器１１２と時刻表示装置１００とは、例えばそれぞれ異なる時刻を表示する。図３（ａ）の例では、外部機器１１２は、例えば無線基地局１１４（図１）から取得した標準時刻である１０：１０を表示しており、一方、時刻表示装置１００は、ユーザ設定に基づく時刻として例えばし実際の時刻よりも４５分前の時刻を表示している。なお、この時点での時刻表示装置１００の動作は、図２のステップＳ１００、Ｓ１０２に対応している。
【００４０】
その後、５分が経過し、図３（ｂ）のように外部機器１１２と時刻表示装置１００が接続されると、時刻表示装置１００は、図２のステップＳ１０２〜１０８を実行し、外部機器１１２から時刻に関する情報を取得して、外部機器１１２と同期した時刻を表示する。その結果、図３（ｂ）に示すように、時刻表示装置１００は、外部機器１１２と同じ時刻１０：１５を表示する。時刻表示装置１００における外部機器１１２と同期した時刻の表示は、図３（ｃ）に示すように、外部機器１１２と時刻表示装置１００との接続が維持されている間は継続される。
【００４１】
そして、その後に外部機器１１２と時刻表示装置１００との接続が切断されたとしても（図３（ｄ））、時刻表示装置１００は、最後に外部機器１１２から取得した時刻に関する情報に基づき、内蔵クロック（不図示）を用いて外部機器１１２と同期した時刻を表示し続ける（図３（ｅ））。この動作は、図２のステップＳ１０８、Ｓ１１０に対応する。
【００４２】
なお、時刻表示装置１００のディスプレイ１０６上に外部機器１１２と同期した時刻を表示する場合には、例えば図４に示すように、時刻表示の下に、外部機器１１２（図示の例ではスマートフォン）と同期した時刻であることを示すテキスト「スマートフォン同期」を表示するものとすることができる。なお、外部機器１１２と同期した時刻であることを示すこのような識別表示は、テキストに限らず、時刻を表す数字（図示の１０：１５）の前景色（数字の色）又は背景色を所定の色に変化させることにより行うこともできる。さらに、「スマートフォン同期」というテキスト表示に代えて又はこれに追加して、外部機器１１２と同期した時刻がタイムゾーン境界を跨いで補正された標準時刻である場合には「タイムゾーン補正」というテキストを表示したり、サマータイム補正後の時刻である場合には「サマータイム補正」というテキストを表示するものとすることもできる。
【００４３】
図３に戻り、その後、例えば運転サイクルが終了することにより時刻表示装置１００の電源がオフされて（図３（ｆ））、時刻表示装置１００のディスプレイ１０６上の時刻表示は終了される。そして、例えば新たな運転サイクルが開始されることにより時刻表示装置１００の電源がオンされると（図３（ｇ））、時刻表示装置１００には、図２のステップＳ１００、Ｓ１０２が実行されることにより、前回の運転サイクルにおいて外部機器１１２との時刻同期が行われていたか否かにかかわらず、以前に入力されたユーザ設定に基づく時刻（図３の例では実際の時刻１４：１５よりも４５分前の時刻１３：３０）が新たに表示される（図３（ｈ））。
【００４４】
なお、新たに時刻表示装置１００の電源をオンした際には、例えば図５に示すように、ディスプレイ１０６上に外部機器１１２（図示の例ではスマートフォン）との同期を解除した旨のメッセージを表示するものとしてもよい。
【符号の説明】
【００４５】
１００・・・時刻表示装置、１０２・・・処理装置、１０６・・・ディスプレイ、１０８・・・通信インタフェース、１１０・・・入出力インタフェース、１１２・・・外部機器、１１４・・・無線基地局、１１６・・・ＧＰＳ衛星、１２０・・・第１時刻情報取得ユニット、１２２・・・第１時刻計測ユニット、１２４・・・第２時刻情報取得ユニット、１２６・・・第２時刻計測ユニット、１２８・・・時刻表示出力ユニット。
【図１】
2017032528.tif 000003
【図２】
2017032528.tif 000004
【図３】
2017032528.tif 000005
【図４】
2017032528.tif 000006
【図５】
2017032528.tif 000007